(57)【要約】【課題】  ＩＣタグの情報が確実に伝達できる視覚障害者誘導用ＩＣタグの配置方法を提供する。【解決手段】  床面に設置され表面に突起を有することで視覚障害者に物理的に情報を提供する視覚障害者誘導用ブロック３１〜３４の隣に、ＩＣタグ２を内蔵することで視覚障害者に無線で情報を提供するＩＣタグブロック１を配置することで、白杖のアンテナがＩＣタグブロック１の読み取り可能範囲を外れることをなくする。【選択図】        図１
2005097972.tif 000002
【特許請求の範囲】
【請求項１】
床面に設置され表面に突起を有することで視覚障害者に物理的に情報を提供する視覚障害者誘導用ブロックのラインの隣に、ＩＣタグを内蔵することで視覚障害者に無線で情報を提供するＩＣタグブロックを配置することを特徴とする視覚障害者誘導用ＩＣタグの配置方法。
【請求項２】
上記ＩＣタグブロックを上記視覚障害者誘導用ブロックの両隣に配置することを特徴とする請求項１記載の視覚障害者誘導用ＩＣタグの配置方法。
【請求項３】
上記ＩＣタグブロックは、表面を平坦に形成することを特徴とする請求項１又は２記載の視覚障害者誘導用ＩＣタグの配置方法。
【発明の詳細な説明】
【技術分野】
【０００１】
本発明は、床面に設置されたＩＣタグから視覚障害者に無線で情報を提供する方法に係り、ＩＣタグの情報が確実に伝達できる視覚障害者誘導用ＩＣタグの配置方法に関する。
【背景技術】
【０００２】
従来、視覚障害者が屋内外で歩行する場合、白杖と呼ばれる白い杖を使用し、歩行先の状況を探りながら、安全を確保しつつ進行していた。場所によっては、点状或いは線状の突起を有する１枚当たり一辺約３０ｃｍの矩形型の視覚障害者誘導用ブロックが布設されており、視覚障害者は、視覚障害者誘導用ブロック上を歩行中は足裏で突起を確認したり、或いは白杖で突起を確認することで、歩行先の状況に関する単純な情報、即ち「進行報告」「進行の警告」を得ている。また、視覚障害者誘導用ブロックの多くは、黄色であり、弱視者は、この黄色を目印とした行動をしている。つまりは、視覚障害者誘導用ブロックは、視覚障害者に物理的に情報を提供することによって視覚障害者の屋内外での移動を支援するものである。
【０００３】
これに対し、視覚障害者誘導用ブロックにＩＣタグを内蔵し、このＩＣタグから視覚障害者に対して無線で注意喚起や経路誘導の情報を提供するシステムが考案されている。例えば、特許文献１のものでは、視覚障害者誘導用ブロックにＩＣタグを内蔵し、このＩＣタグの情報を読み取るためのアンテナを白杖の先端などに設ける。ＩＣタグは視覚障害者誘導用ブロック上の冠水の有無による不具合や人体への影響を避けるために、電磁誘導方式のＩＣタグが利用され、１００ｋＨｚ〜３０ＭＨｚの周波数が使用されている。
【０００４】
【特許文献１】特開２００２−１６５８２５号公報
【発明の開示】
【発明が解決しようとする課題】
【０００５】
ところで、視覚障害者誘導用ブロックにＩＣタグを内蔵し、そのＩＣタグの情報を白杖の先端のアンテナから取得する場合、視覚障害者誘導用ブロックの上をアンテナが通過しないと情報が取得できない可能性がある。つまり、通信エリアを広くするにはＩＣタグのアンテナと白杖のアンテナの双方又は片方を大きくする必要があるが、視覚障害者誘導用ブロックには規定のサイズがあり、ＩＣタグのアンテナを大きくするのは困難であり、一方、白杖は携帯性の観点から大きく或いは重くするわけにいかないため、白杖のアンテナは小型化する必要がある。従って、通信エリアを広くすることは困難である。
【０００６】
ここで、図３に示すように、床面３０に、進行方向（図の縦方向）を示す縦長突起（破線）を有する視覚障害者誘導用ブロック３１が縦方向のラインに配列され、その先に屈曲を示す点状突起（破線）を有する視覚障害者誘導用ブロック３２，３３が鈎状に配置され、そこから左折方向を示す横長突起（破線）を有する視覚障害者誘導用ブロック３４が横方向のラインに配列されている。屈曲点の直前と直後（曲がったところ）の視覚障害者誘導用ブロック３２はＩＣタグ３５を内蔵したものである。
【０００７】
いま、白杖を携帯している歩行者が矢印Ａの方向、即ち視覚障害者誘導用ブロック３１のラインの左側に沿って進行すると、２つの視覚障害者誘導用ブロック３２のいずれかから情報を取得することができる。しかし、矢印Ｂの方向、即ち視覚障害者誘導用ブロック３１のラインの右側に沿って進行した場合、白杖のアンテナが視覚障害者誘導用ブロック３２の読み取り可能範囲を外れることが考えられる。その場合、左折の情報が得られないために、そのまま直進してしまう可能性がある。
【０００８】
また、視覚障害者の白杖の使用方法は個人差があるものの、一般的には、視覚障害者誘導用ブロック３１の側方を探る動作をしている。そのため視覚障害者誘導用ブロック３１の側方にＩＣタグを設置したほうが確実に情報伝達できると思われる。
【０００９】
そこで、本発明の目的は、上記課題を解決し、ＩＣタグの情報が確実に伝達できる視覚障害者誘導用ＩＣタグの配置方法を提供することにある。
【課題を解決するための手段】
【００１０】
上記目的を達成するために本発明は、床面に設置され表面に突起を有することで視覚障害者に物理的に情報を提供する視覚障害者誘導用ブロックのラインの隣に、ＩＣタグを内蔵することで視覚障害者に無線で情報を提供するＩＣタグブロックを配置するものである。
【００１１】
上記ＩＣタグブロックを上記視覚障害者誘導用ブロックの両隣に配置してもよい。
【００１２】
上記ＩＣタグブロックは、表面を平坦に形成してもよい。
【発明の効果】
【００１３】
本発明は次の如き優れた効果を発揮する。
【００１４】
（１）視覚障害者誘導用ブロックのラインの隣にＩＣタグブロックを配置するので、ＩＣタグの情報が確実に伝達できる。
【００１５】
（２）表面を平坦に形成するので、車椅子利用者もＩＣタグの情報を利用できるようになる。
【発明を実施するための最良の形態】
【００１６】
以下、本発明の一実施形態を添付図面に基づいて詳述する。
【００１７】
図１に示されるように、本発明の視覚障害者誘導用ＩＣタグの配置方法においては、床面（道路やプラットホームの表面）１０にＩＣタグを内蔵しない従来の視覚障害者誘導用ブロック３１，３３，３４を誘導したい方向へライン状に配置し、その視覚障害者誘導用ブロック３１，３３，３４が形成するラインの隣にＩＣタグを外層樹脂で封止してなるＩＣタグブロック１を配置する。図１の例では、視覚障害者誘導用ブロック３１，３３，３４の配置は背景技術で説明した図３での配置とほぼ同じであり、ＩＣタグ３５を内蔵した視覚障害者誘導用ブロック３２の代わりに、ＩＣタグを内蔵しない視覚障害者誘導用ブロック３３が使用されている。一方、ＩＣタグブロック１は、１枚当たり一辺約３０ｃｍの矩形型に形成され、ＩＣタグ２を内蔵することで視覚障害者に無線で情報を提供することができ、かつ表面が突起を有さず平坦に形成されている。ＩＣタグ２は、ＩＣタグブロック１の外形に近い大型のアンテナコイルを有する。なお、ＩＣタグ２は、アンテナコイルの形状で図示したが、実際はこの無線通信に用いるアンテナコイルと情報を記憶し処理する微小なＩＣチップとで構成される。
【００１８】
図１の例では、ＩＣタグブロック１は、屈曲点の直前の視覚障害者誘導用ブロック３３の両隣に配置されている。既に述べたようにＩＣタグブロック１は表面が平坦に形成されているので、床面１０と同一面をなしており、床面１０全体に形成される各ブロックの突起による凹凸は図３の床面３０とは外観的に同一である。
【００１９】
さて、このように視覚障害者誘導用ブロック３１，３３，３４とＩＣタグブロック１が配置された床面１０を図３の場合と同様に、白杖を携帯している歩行者が矢印Ａ及び矢印Ｂの方向、即ち視覚障害者誘導用ブロック３１のラインの左側及び右側に沿って進行するものとする。本発明ではＩＣタグブロック１が視覚障害者誘導用ブロック３１，３３，３４のラインの両隣に配置されているので、いずれの歩行者においてもＩＣタグブロック１の上を通過することになる。従って、白杖のアンテナがＩＣタグブロック１の読み取り可能範囲を外れることがなくなり、いずれの方向の歩行者もＩＣタグブロック１の情報を確実に取得することができる。
【００２０】
また、本発明のＩＣタグブロック１は、表面を平坦に形成してあるので、車椅子の通行の障害にならない。そして、このようなＩＣタグブロック１が視覚障害者誘導用ブロック３１，３３，３４のライン上でない場所に配置されているので、視覚障害者誘導用ブロック３１，３３，３４を避けて通る車椅子利用者もアンテナを装備すればＩＣタグブロック１の情報を利用することができる。
【００２１】
なお、図１では視覚障害者誘導用ブロック３１の辺に直接ＩＣタグブロック１の辺が接するようにすぐ隣にＩＣタグブロック１を設置したが、視覚障害者誘導用ブロック３１から少し離しても良い。また、同一の視覚障害者誘導用ブロック３１の両隣にＩＣタグブロック１を配置するのに限らず、別々の視覚障害者誘導用ブロック３１，３３，３４の隣に互い違いにＩＣタグブロック１を配置して千鳥状にしてもよい。また、ＩＣタグブロック１を配置する個数も２個に限らず、いくつ配置しても良い。また、従来よりあるＩＣタグ３５を内蔵した視覚障害者誘導用ブロック３２と本発明のＩＣタグブロック１とを併用しても良い。
【００２２】
次に、別の形態を説明する。
【００２３】
図２に示した路面２０は、車道と歩道とが隣接している道路の歩道の路面である。図示右側に車道があるものと仮定する。この路面２０に、進行方向（図の縦方向）を示す縦長突起を有する視覚障害者誘導用ブロック３１が縦方向一直線に配列されており、本発明のＩＣタグブロック１は適宜な視覚障害者誘導用ブロック３１の両隣、即ち、車道側と歩道側に配置されている。両ＩＣタグブロック１に内蔵されるＩＣタグ２は互いに異なる情報を担持している。即ち、視覚障害者誘導用ブロック３１より車道側に位置するＩＣタグ２には、車道側を表す情報が記憶され、歩道側に位置するＩＣタグ２には歩道側を表す情報が記憶されている。
【００２４】
こで、白杖を携帯している歩行者が矢印Ａ及び矢印Ｂの方向、即ち視覚障害者誘導用ブロック３１のラインの左側及び右側に沿って進行するものとする。それぞれの歩行者がＩＣタグブロック２１を通過するとき、矢印Ａの方向に進行する歩行者には歩道側を表す情報が提供され、矢印Ｂの方向に進行する歩行者には車道側を表す情報が提供されることになる。
【図面の簡単な説明】
【００２５】
【図１】本発明の一実施形態を示すＩＣタグブロックを配置した床面の平面図である。
【図２】本発明の一実施形態を示すＩＣタグブロックを配置した床面の平面図である。
【図３】従来の視覚障害者誘導用ブロックを配置した床面の平面図である。
【符号の説明】
【００２６】
１  ＩＣタグブロック
２  ＩＣタグ
３１  縦長突起を有する視覚障害者誘導用ブロック
３２  点状突起を有するＩＣタグ内蔵視覚障害者誘導用ブロック
３３  点状突起を有する視覚障害者誘導用ブロック
３４  横長突起を有する視覚障害者誘導用ブロック
【図１】
2005097972.tif 000003
【図２】
2005097972.tif 000004
【図３】
2005097972.tif 000005